(57)【特許請求の範囲】
【請求項１】
予め送気管養生器本体（３）の外側に養生フィルム（６）を挿入し、しかるのち送気管（２）を送気管養生器本体（３）内に挿入して、送気管（２）の端に熱風溶着器（７）で養生フィルム（６）の端部を溶着し、しかるのち送気管（２）と養生フィルム（６）とを引抜いて送気管（２）の他端に養生フィルム（６）の端を溶着するフードマスク用送気管の養生方法。
【請求項２】
呼吸用保護具として使用されるフードマスク（１）内に空気を送る送気管（２）を挿入でき、一端がストッパ（４）で閉じられたパイプよりなる送気管養生器本体（３）と、送気管養生器本体（３）の先端に着脱可能なガイドキャップ（５）と、送気管（２）の外側を覆う筒状の養生フィルム（６）と、養生フィルム（６）の両端を送気管（２）の端部に溶着してシールする熱風溶着器（７）とからなり、送気管養生器本体（３）の開口端にガイドキャップ(５)を取付けて養生フィルム（６）を送気管養生器本体（３）の外周に挿し込み、しかるのちガイドキャップ（５）を外して送気管（２）を送気管養生器本体（３）内に挿入し、養生フィルム（６）の一端を送気管（２）の端部に溶着したのち、送気管（２）を引抜いて送気管（２）の他端に養生フィルム（６）の他端を溶着するようにしたフードマスク用送気管養生器。
【発明の詳細な説明】
【０００１】
【発明の属する技術分野】
本発明は、原子力発電所等で作業者の放射能汚染防護のために着用するフードマスクに空気を送るフードマスク用送気管の養生方法と、この方法を実施する養生器に関するものである。
【０００２】
【従来の技術】
原子力発電所等の定期検査時には、放射性物質で汚染された機器を取り扱う作業が多く発生する。この際、作業者が着用する呼吸器用保護具のなかに、フードマスクがある。従来は全面マスクがよく使用されていたが、最近は、図１１に示すようにフードマスク１を頭部全体にかぶり、バッテリー駆動のブロア部９から、内蔵したフィルタを通って浄化された空気が送り込まれるタイプのフードマスクいわゆる送気式マスクが多用されている。
【０００３】
このうち、バッテリー駆動のブロア部９からフードマスク１内に空気を送る送気管２は、フレキシブルに曲がることができるよう蛇腹式構造となっている。送気管２に付着した放射能汚染を除染する作業は、作業員がウエスにより拭きあげる手作業により行っていた。しかし、先に述べたように送気管２の構造は蛇腹式であるため、蛇腹の山部に付着した汚染は除去しやすいが、谷部に入り込んだ汚染は除去できない。このため、送気管２の蛇腹部の山と谷を一つずつ伸ばして除染していたが、作業員の負担も大きく、また効率もきわめて悪かった。
【０００４】
【発明が解決しようとする課題】
本発明は、放射能汚染の付着防護のため、フードマスク用送気管を作業前にフィルムで養生し、フードマスク使用後は、養生フィルムを剥がすだけで送気管を再使用可能にする方法と、送気管への養生フィルムの装着を容易に行い得るようにするフードマスク用送気管養生器とを提供することを目的とする。
【０００５】
【課題を解決するための手段】
本発明のフードマスク用送気管の養生方法は、予め送気管養生器本体の外側に養生フィルムを挿入し、しかるのち送気管を送気管養生器本体内に挿入して、送気管の端に熱風溶着器で養生フィルムの端部を溶着し、しかるのち送気管と養生フィルムとを引抜いて送気管の他端に養生フィルムの端を溶着することを特徴とする。
本発明のフードマスク用送気管養生器は、呼吸用保護具として使用されるフードマスク内に空気を送る送気管を挿入でき、一端がストッパで閉じられたパイプよりなる送気管養生器本体と、送気管養生器本体の先端に着脱可能なガイドキャップと、送気管の外側を覆う筒状の養生フィルムと、養生フィルムの両端を送気管の端部に溶着してシールする熱風溶着器とからなり、送気管養生器本体の開口端にガイドキャップを取付けて養生フィルムを送気管養生器本体の外周に挿し込み、しかるのちガイドキャップを外して送気管を送気管養生器本体内に挿入し、養生フィルムの一端を送気管の端部に溶着したのち、送気管を引抜いて送気管の他端に養生フィルムの他端を溶着する。
【０００６】
【発明の実施の形態】
図１において、本発明に係るフードマスク用送気管養生器は、送気管２の養生を行う送気管養生器本体３と、専用の養生フィルム６（図３）と、養生フィルム６の両端を送気管２の端部に対し溶着してシールする熱風溶着器７とで構成されている。
送気管養生器本体３は、パイプ状をなし、内部は蛇腹状送気管２を挿入することができるように空洞となっており、一端にフランジ状のストッパ４が取付けられ、これで挿入された送気管２を止めるようにしている。図２に示すように、送気管養生器本体３の先端（開口端）には、弾丸状のガイドキャップ５の基部を挿脱できる構造となっている。これは、専用の円筒形の養生フィルム６を送気管養生器本体３の外周上に挿入するとき、ガイドして挿入しやすくするために取付けるものである。
熱風溶着器７は、養生フィルム６を送気管２の外側に挿入後、両端を送気管２の端部に溶着してシールするために使用するものである。
【０００７】
（送気管の養生手順）
１）送気管養生器本体３と熱風溶着器７を作業台８上にセットする（図１）。
２）未使用のフードマスク用送気管２を準備する（図１）。
３）送気管養生器本体３の先端にガイドキャップ５を取付ける（図２）。
４）その後、養生フィルム６を送気管養生器本体３の外側に挿入する（図３，図４）。
５）ガイドキャップ５を外す。
６）送気管２を送気管養生器本体３内に挿入する（図５）。
７）養生フィルム６を少し引き出し、熱風溶着器７を使って先端をシールする（図６）。
８）シール箇所を持って養生フィルム６と送気管２を一緒に引き抜く（図６）。
９）送気管２の反対側でも養生フィルム６の端を熱風溶着器７を使ってシールする。これで送気管２の養生が完成する（図７，図８）
【０００８】
上記の養生方法によれば、円筒状の養生フィルムを送気管の外側に嵌挿し、挿入された養生フィルムの両端のみを送気管の両端部近傍位置のみに溶着シールするようにしたので、養生作業がきわめて容易となる。
また、送気管をフードマスクに取付ける前にこれを養生フィルムで養生するので、放射能汚染の付着防護ができ、フードマスク使用後は、養生フィルムを剥がすだけで再使用できる。従って再使用時に除染作業の必要性がなく、作業員の負担を大幅に軽減できる。
上記のように養生した送気管を、図９及び図１０に示すようにフードマスクとブロアに取り付けて使用した後、フィルムを剥がせば再使用できるので作業の容易性はもとより、経済的である。
また、養生フィルムを円筒状とすれば、送気管養生器本体にガイドキャップを介して容易に挿入できるので、送気管の養生作業を容易に行うことができる。
【図面の簡単な説明】
【図１】  養生器を構成する部品を作業台上に配置した図。
【図２】  養生器本体の開口端にガイドキャップ及び熱風溶着器を配置した図。
【図３】  養生フィルムを送気管養生器本体に挿入し始めた状態。
【図４】  養生フィルムを挿入し終った状態。
【図５】  ガイドキャップを外し、送気管を送気管養生器本体に挿入し始めた状態。
【図６】  送気管の端に養生フィルムの端を溶着している状態。
【図７】  送気管と養生フィルムを引出し、送気管の他端に養生フィルムの端を溶着している状態。
【図８】  養生完了した送気管。
【図９】  養生した送気管をフードマスクに取付けた状態。
【図１０】  送気管の他端をブロア部に接続した状態。
【図１１】  公知フードマスクと送気管を示す図。
【符号の説明】
１…フードマスク、２…送気管、３…送気管養生器本体、４…ストッパ、５…ガイドキャップ、６…養生フィルム、７…熱風溶着器、８…作業台、９…ブロア部。
【図１】
0004256548.tif 000002
【図２】
0004256548.tif 000003
【図３】
0004256548.tif 000004
【図４】
0004256548.tif 000005
【図５】
0004256548.tif 000006
【図６】
0004256548.tif 000007
【図７】
0004256548.tif 000008
【図８】
0004256548.tif 000009
【図９】
0004256548.tif 000010
【図１０】
0004256548.tif 000011
【図１１】
0004256548.tif 000012